(57)【要約】【課題】  紫外線を遮蔽しつつ直射日光による熱を遮断して快適性を向上するようにした帽子を提供する。【解決手段】  冠部１と鍔部２とを備えた帽子において、冠部１及び／又は鍔部２を構成する布帛に酸化チタンを含む樹脂をコーティングする。【選択図】  図１
2008050734.tif 000002
【特許請求の範囲】
【請求項１】
冠部と鍔部とを備えた帽子において、前記冠部及び／又は前記鍔部を構成する布帛に酸化チタンを含む樹脂をコーティングしたことを特徴とする帽子。
【請求項２】
前記樹脂中の酸化チタンの含有量が１０重量％〜５０重量％であることを特徴とする請求項１に記載の帽子。
【請求項３】
前記布帛への酸化チタンの被着量が５ｇ／ｍ2 〜５０ｇ／ｍ2 であることを特徴とする請求項１又は請求項２に記載の帽子。
【請求項４】
前記樹脂に前記布帛と同色の着色剤を配合したことを特徴とする請求項１〜３のいずれかに記載の帽子。
【発明の詳細な説明】
【技術分野】
【０００１】
本発明は、冠部と鍔部とを備えた帽子に関し、更に詳しくは、紫外線を遮蔽しつつ直射日光による熱を遮断して快適性を向上するようにした帽子に関する。
【背景技術】
【０００２】
帽子は、冠部と鍔部とを備え、これら冠部や鍔部により頭や顔に当たる紫外線を遮蔽しつつ直射日光による熱を遮断する役割を果たしている。その一方で、近年では、ファッション性の観点から冠部や鍔部には種々の布帛が使用され、その布帛の種類によっては紫外線の遮蔽効果や熱の遮断効果が十分に得られない場合がある。
【０００３】
これに対して、紫外線や赤外線を遮蔽するように加工を施した透明なプラスチック板から鍔部を構成する一方で、冠部を分割して通気用の隙間を設けた帽子（例えば、特許文献１参照）が提案されているが、このような構成では帽子のデザインが大幅に制限されるためファッション性の要求を満たすことができない。
【特許文献１】特開２０００−７３２２１号公報
【発明の開示】
【発明が解決しようとする課題】
【０００４】
本発明の目的は、紫外線を遮蔽しつつ直射日光による熱を遮断して快適性を向上するようにした帽子を提供することにある。
【課題を解決するための手段】
【０００５】
上記目的を達成するための本発明の帽子は、冠部と鍔部とを備えた帽子において、前記冠部及び／又は前記鍔部を構成する布帛に酸化チタンを含む樹脂をコーティングしたことを特徴とするものである。
【発明の効果】
【０００６】
本発明者は、布帛のコーティング材料として酸化チタンを含む樹脂を用いたところ、酸化チタンには紫外線を遮蔽する作用のみならず直射日光による熱を遮断する作用があることを知見し、本発明に至ったのである。
【０００７】
即ち、冠部や鍔部を構成する布帛に酸化チタンを含む樹脂をコーティングした場合、酸化チタンが紫外線を遮蔽すると共に直射日光による熱を遮断し、帽子を着用した際の快適性を向上することができる。しかも、冠部や鍔部を構成する布帛に酸化チタンを含む樹脂をコーティングするだけであるので、帽子のデザインが制約されることはなく、ファッション性の要求に対して柔軟に対応することができる。
【発明を実施するための最良の形態】
【０００８】
以下、本発明の構成について添付の図面を参照しながら詳細に説明する。
図１は本発明の実施形態からなる帽子を示すものである。図１に示すように、本実施形態の帽子は、頭を覆う冠部１と、該冠部１の全周囲から放射状に突き出した鍔部２とを備えている。鍔部２は冠部１の全周囲から突き出す構造のほか、野球帽のように冠部１の周囲の一部から突き出す構造であっても良い。
【０００９】
冠部１や鍔部２を構成する布帛としては、綿や麻等の天然繊維からなる織物のほか、ナイロンやポリエステル等の合成繊維からなる織物を使用することができる。この布帛には酸化チタンを含む樹脂がコーティングされている。コーティングを施す部位は、冠部１及び鍔部２の両方でも良いが、冠部１だけでも良く、鍔部２だけでも良い。
【００１０】
上記酸化チタン（ＴｉＯ2 ）としては、例えば、平均粒子径が１０ｎｍ〜３００ｎｍ、より好ましくは１００ｎｍ〜３００ｎｍの粉末を使用すると良い。このような酸化チタンの粉末は紫外線を遮蔽し、可視光線を散乱させて直射日光による熱を遮断する作用を呈する。一方、上記コーティング樹脂は特に限定されるものではないが、例えば、アクリル系樹脂やウレタン系樹脂を使用することができる。
【００１１】
コーティング樹脂中の酸化チタンの含有量は１０重量％〜５０重量％であると良い。樹脂中の酸化チタンの含有量を上記範囲にすることにより、紫外線の遮蔽作用と熱の遮断作用を効果的に得ることができる。酸化チタンの含有量が１０重量％未満であると紫外線の遮蔽作用と熱の遮断作用が低下し、逆に５０重量％を超えると外観を悪化させる要因となる。
【００１２】
布帛への酸化チタンの被着量は５ｇ／ｍ2 〜５０ｇ／ｍ2 であると良い。酸化チタンの単位面積当たりの被着量を上記範囲にすることにより、紫外線の遮蔽作用と熱の遮断作用を効果的に得ることができる。酸化チタンの単位面積当たりの被着量が５ｇ／ｍ2 未満であると紫外線の遮蔽作用と熱の遮断作用が低下し、逆に５０ｇ／ｍ2 を超えると帽子の質量増加が顕著になるため好ましくない。
【００１３】
コーティング樹脂には布帛と同色の着色剤を配合すると良い。これにより、コーティング樹脂への酸化チタンの配合による外観の悪化を防止し、ファッション性を向上することができる。なお、着色剤の色は布帛の色と厳密に一致する必要はなく、違和感がない程度に一致するものであれば良い。
【００１４】
上述した帽子を着用した場合、冠部１や鍔部２を構成する布帛に酸化チタンを含む樹脂がコーティングされているので、その酸化チタンが紫外線を遮蔽する。これにより、波長２５０ｎｍ〜４００ｎｍの紫外線を例えば９９％以上遮蔽することが可能になる。また、布帛のコーティング樹脂に含まれる酸化チタンは直射日光による熱を遮断する。そのため、冠部１の中や鍔部２の下側での温度上昇を抑制することができる。これにより、帽子を着用した際の快適性を向上することができる。
【実施例】
【００１５】
冠部の全周囲に鍔部を設けた帽子において、冠部及び鍔部を構成する布帛（白色生地）に酸化チタンを含む樹脂をコーティングし、そのコーティング条件だけを種々異ならせた実施例１〜３の帽子をそれぞれ製作した。実施例１〜３においては、樹脂中の酸化チタンの含有量（重量％）と布帛への酸化チタンの被着量（ｇ／ｍ2 ）を種々異ならせた。対比のため、布帛にコーティングを施していない帽子（従来例）を用意した。
【００１６】
これら従来例及び実施例１〜３の帽子について、分光光度計を用いて波長３００ｎｍ〜４００ｎｍの範囲で鍔部の紫外線透過率（％）を測定した。また、従来例及び実施例１〜３の帽子を晴天時の同一条件で着用した際の快適性を２０人のパネラーにより５点満点で評価し、全パネラーの評価点の和を求めた。この評価点が大きいほど着用時の快適性が高いことを意味する。その結果を表１に示す。
【００１７】
【表１】
2008050734.tif 000003
【００１８】
この表１に示すように、実施例１〜３の帽子はいずれも紫外線透過率が低く、しかも従来例に比べて着用時の快適性が高いものであった。
【図面の簡単な説明】
【００１９】
【図１】本発明の実施形態からなる帽子を示す斜視図である。
【符号の説明】
【００２０】
１  冠部
２  鍔部
【図１】
2008050734.tif 000004